(57)【要約】【課題】ＵＳＢメモリ等の外部記憶装置を解除可能に接続して、外部記憶装置に関するジョブを実行する場合のユーザの操作を簡易にして、操作性を向上したジョブ実行装置を提供する。【解決手段】外部記憶装置３２０〜３２２を解除可能に接続するための第１及び第２の接続手段２０〜２２と、前記外部記憶装置の前記接続手段への接続を検知する検知手段３１１ａと、ジョブの操作モードを表示する操作モード表示手段１２と、検知手段により前記第１の接続手段への外部記憶装置の接続が検出されたときは、前記表示手段に第１の操作モードを表示させ、前記第２の接続手段への外部記憶装置の接続が検出されたときは、前記表示手段に前記第１の操作モードとは異なる第２の操作モードを表示させる制御手段３１１と、を備えている。【選択図】  図７
2006140644.tif 000002
【特許請求の範囲】
【請求項１】
外部記憶装置を解除可能に接続するための第１及び第２の接続手段と、
前記外部記憶装置の前記接続手段への接続を検知する検知手段と、
ジョブを実行するための操作モードを表示する表示手段と、
前記検知手段により前記第１の接続手段への外部記憶装置の接続が検出されたときは、前記表示手段に第１の操作モードを初期表示させ、前記第２の接続手段への外部記憶装置の接続が検出されたときは、前記表示手段に前記第１の操作モードとは異なる第２の操作モードを初期表示させる制御手段と、
を備えたことを特徴とするジョブ実行装置。
【請求項２】
外部記憶装置の記憶情報をコピーするコピー機能を有し、前記第１の操作モードはコピーモードである請求項１に記載のジョブ実行装置。
【請求項３】
外部記憶装置の記憶情報をファイルとして送信するスキャン送信機能を有し、前記第１の操作モードはスキャン送信モードである請求項１に記載のジョブ実行装置。
【請求項４】
外部記憶装置の記憶情報をファクシミリ送信するファクシミリ送信機能を有し、前記第１の操作モードはファクシミリ送信モードである請求項１に記載のジョブ実行装置。
【請求項５】
外部記憶装置の記憶情報をコピーするコピー機能、外部記憶装置の記憶情報をファイルとして送信するスキャン送信機能、外部記憶装置の記憶情報をファクシミリ送信するファクシミリ送信機能を有し、前記第１の操作モードとしてコピーモード、スキャン送信モード、ファクシミリ送信モードのいずれかを選択する選択手段を備えている請求項１に記載のジョブ実行装置。
【請求項６】
前記第１、第２の接続手段はＵＳＢ規格によるものである請求項１に記載のジョブ実行装置。
【請求項７】
所定のジョブ操作モードが設定された前記外部記憶装置の前記第１または第２の接続手段への接続が検出されたときは、前記制御手段は、前記第１または第２の操作モードよりも優先して、前記外部記憶装置に設定された所定の操作モードを表示手段に初期表示する請求項１に記載のジョブ実行装置。
【発明の詳細な説明】
【技術分野】
【０００１】
この発明は、解除自在に接続されるＵＳＢ（Universal Serial Bus）メモリ等の外部記憶装置の記憶情報についてのジョブを実行可能なジョブ実行装置に関する。
【背景技術】
【０００２】
昨今、ジョブ実行装置である画像形成装置の１つであり、プリンタ機能、コピー機能、ＦＡＸ機能、スキャナ機能などを有するＭＦＰ（Multi Function Peripherals)として、差込口が他の周辺機器と共通規格で対応できる複数のＵＳＢメモリを外部記憶装置として装着・接続できるようにしたものが提案されている。
【０００３】
このような画像形成装置では、差込口に差し込まれたＵＳＢメモリ内の記憶情報をコピーしたり、電子メール送信やＦＴＰ（ File Transfer Protocol）送信等によりファイルとして送信したり、ファクシミリ送信する等、各種のジョブを実行することが可能である。
【０００４】
しかし、ＵＳＢメモリ内の記憶情報についてジョブを実行するためには、ユーザは操作パネル等を操作してジョブの操作モードの画面、例えばコピーモードやファクシミリ送信モードの画面を表示部に表示させたのち、所定の設定を行う必要があり、面倒であった。
【０００５】
なお、特許文献１には、ＵＳＢ等の複数のインターフェースを有し、原稿画像の読み取り中に、ホストコンピュータから前記インターフェースを通して自動プリントする技術が開示されている。
【特許文献１】特開２００３−３３７６６４号公報
【発明の開示】
【発明が解決しようとする課題】
【０００６】
しかしながら、前記特許文献１には、ＵＳＢメモリに関するジョブを実行するためにユーザが操作パネル等を操作してジョブの操作モードの画面を表示部に表示させなければならない煩わしさの回避については、何らの開示もなされていない。
【０００７】
この発明は、このような実情に鑑みてなされたものであって、ＵＳＢメモリ等の外部記憶装置を解除可能に接続して、外部記憶装置に関するジョブを実行する場合のユーザの操作を簡易にして、操作性を向上したジョブ実行装置を提供することを目的とする。
【課題を解決するための手段】
【０００８】
上記目的は、下記の手段によって達成される。
（１）外部記憶装置を解除可能に接続するための第１及び第２の接続手段と、前記外部記憶装置の前記接続手段への接続を検知する検知手段と、ジョブを実行するための操作モードを表示する操作モード表示手段と、前記検知手段により前記第１の接続手段への外部記憶装置の接続が検出されたときは、前記表示手段に第１の操作モードを初期表示させ、前記第２の接続手段への外部記憶装置の接続が検出されたときは、前記表示手段に前記第１の操作モードとは異なる第２の操作モードを初期表示させる制御手段と、を備えたことを特徴とするジョブ実行装置。
（２）外部記憶装置の記憶情報をコピーするコピー機能を有し、前記第１の操作モードはコピーモードである前項１に記載のジョブ実行装置。
（３）外部記憶装置の記憶情報をファイルとして送信するスキャン送信機能を有し、前記第１の操作モードはスキャン送信モードである前項１に記載のジョブ実行装置。
（４）外部記憶装置の記憶情報をファクシミリ送信するファクシミリ送信機能を有し、前記第１の操作モードはファクシミリ送信モードである前項１に記載のジョブ実行装置。
（５）外部記憶装置の記憶情報をコピーするコピー機能、外部記憶装置の記憶情報をファイルとして送信するスキャン送信機能、外部記憶装置の記憶情報をファクシミリ送信するファクシミリ送信機能を有し、前記第１の操作モードとしてコピーモード、スキャン送信モード、ファクシミリ送信モードのいずれかを選択する選択手段を備えている前項１に記載のジョブ実行装置。
（６）前記第１、第２の接続手段はＵＳＢ規格によるものである前項１に記載のジョブ実行装置。
（７）所定のジョブ操作モードが設定された前記外部記憶装置の前記第１または第２の接続手段への接続が検出されたときは、前記制御手段は、前記第１または第２の操作モードよりも優先して、前記外部記憶装置に設定された所定の操作モードを表示手段に初期表示する前項１に記載のジョブ実行装置。
【発明の効果】
【０００９】
前項（１）に記載の発明によれば、外部記憶装置が第１の接続手段に接続されたときは表示手段に第１の操作モードが初期表示され、第２の接続手段に接続されたときは第１の操作モードとは異なる第２の操作モードが初期表示されるから、外部記憶装置を第１，第２の接続手段に接続すると、各接続手段に応じたジョブの操作モードが表示手段に自動的に初期表示されることになる。従って、外部記憶装置に関するジョブを実行する場合に、ユーザはジョブの操作モードを選択してその画面を表示手段に表示させる必要がなくなり、表示された操作モード画面で所定の設定操作をスタートすれば良く、操作が簡易になり操作性が向上する。
【００１０】
前項（２）に記載の発明によれば、第１の操作モードとして、外部記憶装置の記憶情報をコピーするためのコピーモードが表示されるから、ユーザは直ちにコピー枚数の設定等の具体的な設定を行うことができる。
【００１１】
前項（３）に記載の発明によれば、第１の操作モードとして、外部記憶装置の記憶情報をファイルとして送信するためのスキャン送信モードが表示されるから、ユーザは直ちに送信宛先の設定等の具体的な設定を行うことができる。
【００１２】
前項（４）に記載の発明によれば、第１の操作モードとして、外部記憶装置の記憶情報をファクシミリ送信するためのファクシミリ送信モードが表示されるから、ユーザは直ちに送信宛先の設定等の具体的な設定を行うことができる。
【００１３】
前項（５）に記載の発明によれば、第１の操作モードとしてコピーモード、スキャン送信モード、ファクシミリ送信モードのいずれかを選択する選択手段を備えているから、第１の接続手段に対し、初期表示される操作モードを自由に設定することができる。
【００１４】
前項（６）に記載の発明によれば、第１、第２の接続手段はＵＳＢ規格によるものであるから、ＵＳＢメモリ等のＵＳＢ規格による外部記憶装置の使用が可能となる。
【００１５】
前項（７）に記載の発明によれば、所定のジョブ操作モードが設定された前記外部記憶装置の前記第１または第２の接続手段への接続が検出されたときは、前記第１または第２の操作モードよりも優先して、前記外部記憶装置に設定された所定の操作モードが表示手段に初期表示されるから、ユーザは第１，第２の接続手段に対応する操作モードにかかわらず、自己が設定した外部記憶装置の操作モードを初期表示させることができ、さらに使い勝手が良くなる。
【発明を実施するための最良の形態】
【００１６】
以下、この発明の一実施形態を図面に基づいて説明する。
〔ＭＦＰ全体構成〕
図１は、この発明の一実施形態に係る記憶情報処理装置が適用された画像形成装置としてのＭＦＰを示す斜視図である。
【００１７】
図１において、ＭＦＰ１は、コピー機能、プリント機能、ファクシミリ機能、スキャナ機能等を有するデジタル複合機であり、ネットワークＮＷ（図２）を介してユーザ端末等との間でデータの送受信が可能である。
【００１８】
ＭＦＰ１は、複数（この実施形態では３個）のＵＳＢ規格の外部機器を着脱可能な接続手段としての第１〜第３の３個の差込口２０，２１，２２を有しており、この差込口２０，２１，２２にＵＳＢインターフェイスを有する外部機器、例えば外部記憶装置であるＵＳＢメモリ３２０，３２１，３２２（図３）を接続することにより、外部機器とＭＦＰ１の間で、双方のデータ送受信が可能となされている。以下、差込口２０，２１，２２をＵＳＢ差込口あるいはＵＳＢコネクタという。
【００１９】
ＭＦＰ１は操作パネル１０を備えており、この操作パネル１０は、複数のキー１１ａと、当該キー１１ａに対するユーザの操作による各種の指示や、文字、数字などのデータの入力を受付ける操作部１１と、ユーザに対する指示メニューや取得した画像に関する情報などの表示を行なう液晶等からなるディスプレイ１２を有している。
【００２０】
また、ＭＦＰ１は、原稿を光学的に読取って画像データを得るスキャナ部１３と、画像データに基づいて記録シート上に画像を印刷するプリンタ部１４とを備えている。
【００２１】
またＭＦＰ１の本体上面には、原稿をスキャナ部１３に送るフィーダ部１７が、下部にはプリンタ部１４に記録シートを供給する給紙部１８が、中央部にはプリンタ部１４によって画像を印刷された記録シートが排出されるトレイ１９がそれぞれ配備されている。さらにＭＦＰ１の本体の内部には、ネットワークＮＷを介して外部機器との間で画像データなどの送受信を行なう通信部１６、および画像データなどを記憶する記憶部３１２などが備えられている。
【００２２】
なお、ＭＦＰ１は、ネットワーク・インターフェイスを有し、前記通信部１６は外部機器との間で各種データの送受信が可能なように、前記ネットワーク・インターフェイスを介してネットワークＮＷに接続されている。
【００２３】
前記ディスプレイ１２は、データ送信の宛先の一覧表示を含む種々の表示に使用される。また、前記操作部１１は、ユーザによる送信先の選択を含む種々の入力に用いられるものである。これらがユーザインターフェイスの要部として機能する。
【００２４】
前記スキャナ部１３は、写真、文字、絵などの画像情報を原稿から光電的に読取って画像データを取得する。取得された画像データ（濃度データ）は、図示しない画像処理部においてデジタルデータに変換され、周知の各種画像処理を施された後、プリンタ部１４や通信部１６に送られ、画像の印刷やデータの送信に供されるか、または、後の利用のために記憶部２３に格納される。
【００２５】
前記プリンタ部１４は、スキャナ部１３により取得された画像データ、通信部１６により外部機器から受信した画像データ、または記憶部２３に格納されている画像データに基づいて記録シート上に画像を印刷するものである。
【００２６】
前記通信部１６は、公衆電話回線を介してファクシミリデータの送受信を行なう他、ＬＡＮ、インターネットなどのネットワークＮＷを介して、該ネットワークＮＷに接続される外部機器との間で電子メールなどを用いてデータの送受信を行なう。
【００２７】
これにより、ＭＦＰ１は、通常のファクシミリ通信を行なうファクシミリ装置としての機能のみならず、電子メールの送受信端末としての機能も有する。したがって、電子メールの添付ファイルとして、各種画像データを送受信することもできる。なお、ＭＦＰ１が行なうネットワーク通信は有線でもよく無線でもよいが、図示の例では有線による通信方式が採用されている。
〔ネットワークの概要〕
図２は、この発明の一実施形態を説明するためのネットワーク接続例を示すものである。
【００２８】
図２において、ネットワークＮＷは、ジョブとしての印字処理を要求する複数台の外部機器（端末）としてのパーソナルコンピュータ（以下ＰＣともいう）２（２Ａ，２Ｂ・・・）と、  このジョブを実行する複数台のＭＦＰ１（１Ａ，１Ｂ，１Ｃ・・・）によって構成されている。ここで、各ＭＦＰ１は、マルチジョブ機能を有するものとする。
【００２９】
マルチジョブ機能とは、デジタル化された画像データを用いて画像形成を行うデジタル複写機やプリンタ等の画像形成装置において、イメージリーダ等を用いて読み取った画像データをデジタル処理して画像形成に用いるものや、画像形成装置に接続された前記ＰＣ２等の外部端末から送信されてきた画像データを用いて画像形成を行うことができる機能である。また、画像形成を行いながら画像データの取得を行うことができる機能もマルチジョブ機能の一環である。
【００３０】
マルチジョブ機能を備える画像形成装置では、イメージリーダにより読み取られた一塊の原稿から得られた画像データを用いた画像形成や、ＰＣから送信された画像データを用いた画像形成を、それぞれ一つのジョブとして取り扱い、ジョブ単位で順次画像形成を行っていく。
【００３１】
すなわち、原稿を読み取って得た画像データや、ＰＣから送信された画像データは、それぞれのジョブの識別子（以下、「ジョブＩＤ」という。）と対応付けられて画像メモリに蓄積される一方、ジョブＩＤはそれぞれのジョブが画像形成装置に対して発行された順に所定の管理テーブルに登録されることになる。そして、テーブルに登録されたジョブＩＤの順に画像形成が行われる。
［ＭＦＰ１の電気的構成］
図３は、ＭＦＰ１の電気的構成を示すブロック図である。
【００３２】
図３において、このＭＦＰ１は、情報処理部３０１、ファクシミリ（以下ＦＡＸともいう）部３０２、通信制御部３０３、給紙手段３０４、前記スキャナ部１３を構成する画像読み取り部３０５、前記プリンタ部１４を構成する画像形成手段３０６、およびフィニッシャ部３０７を有している。
【００３３】
前記ファクシミリ部３０２，通信制御部３０３，画像形成手段３０６等がジョブ実行手段を構成する。
【００３４】
この情報処理部３０１は、情報処理手段の一例であり、データ入出力手段３０８、データ通信制御部３０９、操作部１１、制御装置３１１、記憶部３１２、画像メモリ３１３およびディスプレイ１２を有している。情報処理部３０１では画像メモリ３１３に格納されたジョブの削除、出力等の制御が行えるようになっている。
【００３５】
前記制御装置３１１は、ＣＰＵ３１１１、ＲＡＭ３１１２等を有している。この前記制御装置３１１には、データ入出力手段３０８が接続され、ジョブを入出力する際に使用される。
【００３６】
この制御装置３１１は、プリント動作、コピー動作、スキャン動作、ファクシミリ送信動作、メール送信動作、ＦＴＰ（ File Transfer Protocol）送信動作等、ＭＦＰ１の全体を統括的に制御するほか、この実施形態では以下の機能を有している。
【００３７】
すなわち、ＵＳＢメモリ３２０（３２１）（３２２）がＵＳＢ差込口２０（２１）（２２）に接続された（装着された）こと、及び／または接続状態が解除された（差込口から抜かれた）ことを検知する検知部３１１ａとして機能する。
【００３８】
また、ＵＳＢメモリ３２０（３２１）（３２２）に記憶されている記憶情報について処理すべきジョブの種類が、ＵＳＢメモリ３２０（３２１）（３２２）内で予め設定されているか否かを判断したり、その他の判断を行う判断部３１１ｂとして機能する。
【００３９】
また、検知部３１１ａの検知結果や判断部３１１ｂの判断結果に基づいて、操作パネル１０のディスプレイ１２に、ジョブの操作モード画面を表示させる表示制御部３１１ｃとして機能する。
【００４０】
上記のような制御装置３１１による各機能の具体的な動作については後述する。
【００４１】
前記データ入出力手段３０８には、ＴＣＰ／ＩＰベースのネットワークのＬＡＮ（Local Aria Network)端子３１５、ＵＳＢ端子３１６、セントロニクス端子３１７、シリアルインタフェイス端子３１８および／またはＪＴＡＧ端子３１９等のインタフェイス（Ｉ／Ｆ）端子が複数設けられている。
【００４２】
前記データ入出力手段３０８では、ネットワーク端子３１５、ＵＳＢ端子３１６、セントロニクス端子３１７、シリアルインタフェイス端子３１８またはＵＴＡＧ端子３１９に接続された場合、制御装置３１１によりデータの読み出し、書き込み、削除ができるようになっている。
【００４３】
前記記憶部３１２は、例えばハードディスク等の不揮発メモリからなり、画像データ等を保存するための前述した専用記憶領域（ボックス）３１２０を有している。また、記憶部３１２には、第１〜第３のＵＳＢ差込口２０〜２２と操作パネル１０のディスプレイ１２に初期画面として表示されるジョブの操作モードとの関係が記憶されている。この点については後述する。
【００４４】
また、前記画像メモリ３１３においては、メモリ間でのコピーが可能である。
【００４５】
前記ＣＰＵ３１１１は、制御装置３１１を上述したような制御及び機能を発揮させるように動作させるためのものであり、ＣＰＵ３１１１が図示しないプログラム格納部に格納されたプログラムを実行することにより、制御装置３１１が動作する。前記ＲＡＭ３１１２はＣＰＵ３１１１がプログラムを実行する際の作業領域となるものである。
【００４６】
この実施形態では、前述したように、ＵＳＢ端子３１６として複数の差込口があり、それぞれにＵＳＢメモリ３２０，３２１，３２２を接続可能である。さらに、制御装置３１１はこれら複数のＵＳＢメモリ３２０，３２１，３２２に対する各記憶情報の読み込み、および各ＵＳＢメモリ３２０，３２１，３２２に対する情報の書き込みが実行可能である。記憶情報の読み込みは制御装置３１１のデータ読み込み部３１１ｇにより行われ、情報の書き込みはデータ書き込み部３１１ｈにより行われる。
〔操作パネル〕
図４は、ＭＦＰ１における操作パネル１０の構成を示す平面図である。
【００４７】
図４において、スタートキー２０１は、コピー／プリント／ファクシミリ送信／電子メール、ＦＴＰ送信等の動作を開始させるために用いられる。テンキー２０２は、コピー枚数等の数値を入力するために用いられる。クリアキー２０３は、入力された数値のクリア、および蓄積された画像記憶部の画像データを破棄するために用いられる。
【００４８】
ストップキー２０４は、コピー／スキャン動作の停止を指示するために用いられる。パネルリセットキー２０５は、設定されている操作モードおよびジョブを破棄するために用いられる。
【００４９】
また、ディスプレイ１２は、各種モードの表示やＵＳＢメモリ３２０、３２１、３２２の抜き忘れに対する警告表示やその他の表示を行い、表面にはタッチパネル２０６が取り付けられている。このタッチパネル２０６によって、ユーザはディスプレイ１２内の表示内容に従った各種設定を行うことができる。例えば、ディスプレイ１２にユーザの識別情報であるユーザＩＤの設定画面が表示された場合には、ユーザは前記操作部１１の各種キーやディスプレイ１２に表示されたタッチボタン等を用いてユーザＩＤを設定する。
【００５０】
前記タッチパネル２０６における設定画面領域２０７には、通常は、コピー動作やファックス送信動作を実行する際に行う基本的／応用的な設定のためのボタンが配置されている。各ボタンを挿下すると、その詳細設定を行うための階層画面が表示される。
【００５１】
タッチパネル２０６のジョブ情報画面領域２０８は、その時点でＭＦＰ１に投入されているジョブ情報が表示される。表示は、実行されるべきジョブの順序で並んでいる。特定のジョブに対して消去や変更等の操作を行う場合は、ジョブ操作ボタン２０９を選択した後、操作対象となるジョブ番号ボタンを押下する。それらの操作によってジョブ操作画面が表示され、特定のジョブに対する操作が可能となる。
【００５２】
コピーキー２１０、およびスキャンキー２１１はＭＦＰ１をコピー／スキャナの何れの操作モードで動作させるかを設定するための選択キーである。
【００５３】
コピーキー２１０を押下した場合、ＭＦＰ１はコピー機として使用可能となる。この状態では、スキャナ動作、およびファックス送信動作を実行することはできない。
【００５４】
この時、タッチパネル２０６の設定画面領域２０７には、コピー動作に対する各種設定を行うためのコピーモード表示が行われる。諸設定を終了後、原稿をセットしてスタートキー２０１を押下することにより、コピー動作が開始される。またスキャンキー２１１を押下した場合、ＭＦＰ１はスキャナ、およびファクシミリとなる。この状態では、コピー動作を実行することはできない。
【００５５】
この時、タッチパネル２０６の設定画面領域２０７には、スキャン動作（スキャンした原稿の送信も含む）／ファックス送信に対する各種設定を行うための操作モード表示が行われる。諸設定を終了後、原稿をセットしてスタートキー２０１を押下することにより、スキャン動作／ファックス送信動作が開始される。
【００５６】
なお、コピーキー２１０とスキャンキー２１１は排他的動作となり、一方を選択すると自動的に他方は非選択状態となる。
【００５７】
また、ＰＣ２からＭＦＰ１を使用してプリントする場合、ＰＣ２にこのプリンタ制御用ドライバソフトをインストールし、プリントの際の各種設定はそのドライバ画面にて行う。従って、ＭＦＰ１の操作パネル１０上にプリント用設定画面、およびプリント切り換えキーは不要である。
〔操作パネル（ＵＳＢメモリ内のファイル選択）〕
図５は、ＭＦＰ１がＵＳＢメモリ３２０，３２１，３２２から画像データを読み込む場合のユーザ確認画面を示す図である。
【００５８】
図５において、ＭＦＰ１のＵＳＢ差込口２０（２１）（２２）にＵＳＢメモリ３２０（３２１）（３２２）が接続されており、ＵＳＢメモリ読み込みキー（ＵＳＢチョイスキーともいう）２２１を押下すると、設定画面領域２０７はＵＳＢメモリ読み込み確認画面の階層へ移行する。
【００５９】
この画面において、ＵＳＢメモリ３２０（３２１）（３２２）の内容を読み込む選択「Ｙｅｓ」を押下（タッチ）した場合、ＭＦＰ１は、ＵＳＢメモリ３２０（３２１）（３２２）にアクセスをし、ＵＳＢメモリ３２０（３２１）（３２２）の内容を読み込む処理を行う。
【００６０】
なお、２２３，２２５は、他のＵＳＢ差込口にＵＳＢメモリが装着された場合に操作が有効になる読み込みキーであり、２２０、２２２、２２４は前記読み込みキー２２１、２２３，２２５に対応して設けられた発光ダイオード（ＬＥＤ）である。
【００６１】
前記ＵＳＢメモリ３２０（３２１）（３２２）内に記憶情報（例えば画像データ）が存在した場合、パネル表示は、図６に示すように、メモリ内に存在する画像データを列挙し、ユーザが所望する画像データを選択可能にする。また、メモリ内に存在するデータがこの階層画面表示を越える個数の場合、「次頁」キーの押下により残りのデータが表示される。
【００６２】
この画面で「ＯＫ」が押下されると、ＭＦＰ１は指定されたファイルを読み込む処理を開始し、正常にデータが読み込まれるとＵＳＢメモリ読み込みキー２２１に対応するＬＥＤ２２０が点灯し、画像データがＵＳＢメモリ３２０（３２１）（３２２）より読み込まれた状態であることをユーザに通知する。
【００６３】
ユーザが所望の画像データを選択した後、スタートキー２０１を押下すると、コピー機能（コピーキー２１０）が選択されている場合、画像読み取り部による原稿台上の原稿を走査する制御は実施されず、ＵＳＢメモリ３２０（３２１）（３２２）から読み込まれ、ユーザによって選択された画像データが出力部へ出力される。
【００６４】
また、スキャンキー２１１が選択されている場合も、画像読み取り部による原稿台上の原稿を走査する制御は実施されず、ＵＳＢメモリ３２０（３２１）（３２２）から読み込まれ、ユーザによって選択された画像データが、設定された宛先へファクシミリ送信され、あるいは電子メールやＦＴＰ送信等によりファイル送信される。
【００６５】
図６において、「キャンセル」が押下された場合、指定されたファイルの読み込みは行わず、前階層画面である図５に戻る。
【００６６】
また、図５において、ＵＳＢメモリ３２０（３２１）（３２２）の内容を読み込まない選択「Ｎｏ」を押下（タッチ）した場合は、ＵＳＢメモリ３２０（３２１（３２２）へのアクセスは行われず、ＵＳＢメモリ読み込みキー２２１に対応するＬＥＤ２２０は消灯した状態となる。この場合のコピー機能におけるスタートキー２０１の押下では、通常のコピーと同様、原稿の走査制御を行って、画像を読み取り、その読み取った画面が出力部に出力される。
［操作モード自動表示制御］
図７は、前記ＵＳＢメモリ３２０，３２１，３２２のいずれかを第１〜第３のＵＳＢ差込口２０、２１、２２に装着したときに、制御装置３１１が行う、ジョブの操作モードを初期画面としてディスプレイ１２に自動的に表示する処理を示すフローチャートである。なお、以下の説明ならびに図面では、ステップをＳと略記する。
【００６７】
Ｓ５００で、制御装置３１１はいずれかのＵＳＢメモリ（例えばＵＳＢメモリ３２０）が第１のＵＳＢ差込口２０に接続されたか否かを判断する。ＵＳＢメモリ３２０が第１のＵＳＢ差込口２０に接続（装着）された場合には（Ｓ５００の判断がＹＥＳ）、Ｓ５０２で、接続されたＵＳＢメモリ３２０に初期表示設定がなされているか否かを判断する。
【００６８】
ＵＳＢメモリ３２０に初期表示設定がなされていれば（Ｓ５０２の判断がＹＥＳ）、Ｓ５０６で、その設定されている操作モードをディスプレイ１２に初期画面として表示する。ＵＳＢメモリ３２０に初期表示設定がなされていなければ（Ｓ５０２の判断がＮＯ）、Ｓ５０４で、第１の差込口２０に対して設定されている操作モードを記憶部３１２から読み出してディスプレイ１２に初期画面として表示する。
【００６９】
Ｓ５００で、ＵＳＢメモリ３２０が第１のＵＳＢ差込口２０に接続されていない場合には（Ｓ５００の判断がＮＯ）、Ｓ５０８で、いずれかのＵＳＢメモリ（例えばＵＳＢメモリ３２１）が第２のＵＳＢ差込口２１に接続されたか否かを判断する。
【００７０】
ＵＳＢメモリ３２１が第２のＵＳＢ差込口２１に接続された場合には（Ｓ５０８の判断がＹＥＳ）、Ｓ５１０で、接続されたＵＳＢメモリ３２１に初期表示設定がなされているか否かを判断する。
【００７１】
ＵＳＢメモリ３２１に初期表示設定がなされていれば（Ｓ５１０の判断がＹＥＳ）、Ｓ５１８で、その設定されている操作モードをディスプレイ１２に初期表示する。ＵＳＢメモリ３２１に初期表示設定がなされていなければ（Ｓ５１０の判断がＮＯ）、Ｓ５１２で、第２の差込口２１に対して設定されている操作モードを記憶部３１２から読み出してディスプレイ１２に初期画面として表示する。
【００７２】
Ｓ５０８で、ＵＳＢメモリ３２１が第２のＵＳＢ差込口２１に接続されていない場合には（Ｓ５０８の判断がＮＯ）、Ｓ５１４で、いずれかのＵＳＢメモリ（例えばＵＳＢメモリ３２２）が第３のＵＳＢ差込口２２に接続されたか否かを判断する。
【００７３】
ＵＳＢメモリ３２２が第３のＵＳＢ差込口２２に接続された場合には（Ｓ５１４の判断がＹＥＳ）、Ｓ５１６で、接続されたＵＳＢメモリ３２２に初期表示設定がなされているか否かを判断する。
【００７４】
ＵＳＢメモリ３２２に初期表示設定がなされていれば（Ｓ５１６の判断がＹＥＳ）、Ｓ５１８で、その設定されている操作モードをディスプレイ１２に初期画面として表示する。ＵＳＢメモリ３２２に初期表示設定がなされていなければ（Ｓ５１６の判断がＮＯ）、Ｓ５２０で、第３の差込口２２に対して設定されている操作モードを記憶部３１２から読み出してディスプレイ１２に初期画面として表示する。
【００７５】
このように、ＵＳＢ差込口２０〜２２にＵＳＢメモリ３２０〜３２２を接続するだけで、ＵＳＢメモリ３２２に予め設定されている操作モードの画面や、ＵＳＢ差込口２０〜２２に対して予め設定されている操作モードの画面がディスプレイ１２に初期画面として自動的に表示されるから、ユーザはＵＳＢメモリ３２０〜３２２に関するジョブを実行するために、操作モードの画面を表示させる操作は不要となり、直ちに初期表示画面上で詳細な設定を行うことができる。
【００７６】
また、この実施形態では、ＵＳＢメモリ３２０〜３２２に初期表示設定がなされている場合には、ＵＳＢ差込口２０〜２２に対して予め設定されている操作モードよりも優先して、ＵＳＢメモリ３２０〜３２２に設定されている操作モードが初期画面として表示されるから、ユーザは自己が設定した操作モードを表示させることができ、ユーザの意思を反映させることができ、使い勝手が良くなる。
【００７７】
図８は、ＵＳＢ差込口２０〜２２に対して行われる、操作モードの初期画面を自動的に表示させるための初期表示設定処理を示すフローチャートである。
【００７８】
Ｓ６００で制御装置３１１は、初期表示設定キーが押されたか否かを判断する。具体的には図５及び図６に示すＵＳＢメモリキー２２１が押されたか否かを判断し、押された場合には（Ｓ６００の判断がＹＥＳ）、Ｓ６０２に進む。押されなければ（Ｓ６００の判断がＮＯ）、Ｓ６０８に進む。
【００７９】
Ｓ６０２では、既に初期表示設定を行うための設定モードであるか否かを判断し、設定モード中であれば（Ｓ６０２の判断がＹＥＳ）、Ｓ６０４で設定モードを解除したのちＳ６０８に進み、設定モード中でなければ（Ｓ６０２の判断がＮＯ）、Ｓ６０６で設定モードとしたのち６０８に進む。
【００８０】
Ｓ６０８では、再度、初期表示設定を行うための設定モード中であるか否かを判断し、設定モード中でなければ（Ｓ６０８の判断がＮＯ）、本ルーチンを完了してリターンする。
【００８１】
設定モード中であれば（Ｓ６０８の判断がＹＥＳ）、第１〜第３ＵＳＢ差込口２０〜２２に対する初期表示設定、及びＵＳＢ差込口２０〜２２に接続されたＵＳＢメモリ３２０〜３２２自体への初期表示設定を行う。
【００８２】
具体的には、図４に示すテンキー２０２の中の１、２、３、９の各キー入力が、それぞれ第１〜第３ＵＳＢ差込口２０〜２２に対する初期表示設定、及びＵＳＢ差込口２０〜２２に接続されたＵＳＢメモリ３２０〜３２２自体への初期表示設定のトリガとなっている。
【００８３】
例えば、Ｓ６１０で、制御装置３１１は１キーがオンされたか否かを判断し、１キーがオンされた場合には（Ｓ６１０の判断がＹＥＳ）、Ｓ６１２でＵＳＢメモリ接続時に初期画面として表示される操作モードの選択処理を行う。この処理については後述する。
【００８４】
次いで、Ｓ６１４で、選択された操作モードを、第１差込口２０にＵＳＢメモリが接続されたときに初期表示される操作モードとして設定する。
【００８５】
Ｓ６１０で、１キーがオンされていなければ（Ｓ６１０の判断がＮＯ）、Ｓ６１６で、制御装置３１１は２キーがオンされたか否かを判断し、２キーがオンされた場合には（Ｓ６１６の判断がＹＥＳ）、Ｓ６１８でＵＳＢメモリ接続時に初期画面として表示される操作モードの選択処理を行う。
【００８６】
次いで、Ｓ６２０で、選択された操作モードを、第２差込口２１にＵＳＢメモリが接続されたときに初期表示される操作モードとして設定する。
【００８７】
Ｓ６１６で、２キーがオンされていなければ（Ｓ６１６の判断がＮＯ）、Ｓ６２２で、制御装置３１１は３キーがオンされたか否かを判断し、３キーがオンされた場合には（Ｓ６２２の判断がＹＥＳ）、Ｓ６２４でＵＳＢメモリ接続時に初期画面として表示される操作モードの選択処理を行う。
【００８８】
次いで、Ｓ６２６で、選択された操作モードを、第３差込口２２にＵＳＢメモリが接続されたときの初期表示される操作モードとして設定する。
【００８９】
Ｓ６２２で、３キーがオンされていなければ（Ｓ６２２の判断がＮＯ）、Ｓ６２８で、制御装置３１１は９キーがオンされたか否かを判断し、９キーがオンされた場合には（Ｓ６２８の判断がＹＥＳ）、Ｓ６３０でＵＳＢメモリ接続時に初期画面として表示される操作モードの選択処理を行う。
【００９０】
次いで、Ｓ６３２で、選択された操作モードを、ＵＳＢ差込口２０〜２２に接続されたＵＳＢメモリ自体に対して初期表示される操作モードとして設定し、そのＵＳＢメモリにその情報を書き込む。
【００９１】
Ｓ６２８で、９キーがオンされていなければ（Ｓ６２８の判断がＮＯ）、何もすることなくリターンする。
【００９２】
図９は、図８のＳ６１２、Ｓ６１８、Ｓ６２４、Ｓ６３０の初期表示される操作モードの選択処理のルーチンを示すフローチャートである。このルーチンは、Ｓ６１２、Ｓ６１８、Ｓ６２４、Ｓ６３０を起点として１ｍｓ毎に起動する割り込みルーチンであり、Ｓ７０２、Ｓ７０６、Ｓ７１０の何れかの処理がなされるまで割り込みが入るよう設計されているものとする。また、この実施形態では、初期表示される操作モードが、コピーモード、ファクシミリ送信モード、スキャン送信モードの何れかである場合を示している。
【００９３】
本ルーチンでは、図４に示したテンキーのうち４キー、５キー、６キーの何れかがオンされると処理を行い、それぞれ、コピーモード、ファクシミリ送信モード、スキャン送信モードの何れかが設定される。
【００９４】
Ｓ７００で、制御装置３１１は、４キー（コピーモード用）が押されたか否かを判断する。４キーが押された場合には（Ｓ７００の判断がＹＥＳ）、Ｓ７０２で、初期表示される操作モードとしてコピーモードを選択する。ここで、コピーモードの表示画面では、図４のコピーキー２１０が点灯し、ディスプレイ１２に「コピーできます」の表示が行われる。
【００９５】
Ｓ７００で４キーがオンでなければ（Ｓ７００の判断がＮＯ）、Ｓ７０４で、５キー（ＦＡＸ送信モード用）が押されたか否かを判断する。５キーが押された場合には（Ｓ７０４の判断がＹＥＳ）、Ｓ７０６で、初期表示される操作モードとしてＦＡＸ送信モードを選択する。ＦＡＸ送信モードの表示画面では、図４のスキャンキー２１１が点灯し、ディスプレイ１２に「ＦＡＸ送信できます」の表示が行われる。
【００９６】
Ｓ７０４で５キーがオンでなければ（Ｓ７０４の判断がＮＯ）、Ｓ７０８で、６キー（スキャン送信用表示画面）が押されたか否かを判断する。６キーが押された場合には（Ｓ７０８の判断がＹＥＳ）、Ｓ７１０で、初期表示される操作モードとしてスキャン送信モードを選択する。スキャン送信モードの表示画面では、図４のスキャンキー２１１が点灯し、ディスプレイ１２に「スキャン送信できます」の表示が行われる。
【００９７】
Ｓ７０８で５キーがオンでなければ（Ｓ７０４の判断がＮＯ）、Ｓ７００に戻る。
【００９８】
このようにこの実施形態では、各ＵＳＢ差込口２０〜２２、あるいはＵＳＢメモリ３２０〜３２２に対して初期表示される操作モードを自在に設定できるから、ユーザの使用状態に応じて最適な操作モードを設定することができる。
【００９９】
以上、本発明の一実施形態を説明したが、本発明は上記実施形態に限定されることはない。例えば、初期表示される操作モードがコピーモード、ＦＡＸ送信モード、スキャン送信モードである場合を示したが、初期表示される操作モードはこれに限定されることはなく、ＭＦＰ１において存在する全ての操作モードに適用できる。例えば、片面コピーモード／両面コピーモード／２ｉｎ１コピーモード（２枚の画像を１枚の用紙に印字するモード）の設定画面を初期画面として表示したり、、第１の給紙口／第２の給紙口／第３の給紙口の各給紙口の設定モードを初期画面として表示したり、第１の排出ビン／第２の排出ビン／第３の排出ビンの各排出ビンの設定モードを初期画面として表示させても良い。
【０１００】
また、原稿をスキャナ部によりスキャンしてＵＳＢメモリに書き込むスキャン書込みモードの画面を初期画面として表示させても良い。
【０１０１】
また、上記実施形態では、外部記憶装置３２０〜３２２として、ＵＳＢメモリを例にして説明したが、可搬性ハードディスク装置、光ディスク、メモリカード等の外部記憶装置についても適用可能である。
【図面の簡単な説明】
【０１０２】
【図１】この発明の一実施形態に係るジョブ実行装置が適用されたＭＦＰの外観斜視図である。
【図２】同じくＭＦＰのネットワーク環境を示すブロック図である。
【図３】同じくＭＦＰの電気的構成を示すブロック図である。
【図４】操作パネルの表示画面の説明図である。
【図５】外部記憶装置の記憶情報を読み込む際のユーザ確認画面である。
【図６】同じく外部記憶装置の記憶情報をユーザが選択する際の画面である。
【図７】ＵＳＢメモリがＵＳＢ差込口に接続されたときのは初期表示モードの表示処理を示すフローチャートである。
【図８】初期表示モードの設定処理を示すフローチャートである。
【図９】図８のＳ６１２、Ｓ６１８、Ｓ６２４、Ｓ６３０に示す初期表示モードの選択処理を示すフローチャートである。
【符号の説明】
【０１０３】
１０              操作パネル
１２              ディスプレイ（表示手段）
２０〜２２        ＵＳＢ差込口（接続手段）
３１１            制御装置
３１１ａ          検知部
３１１ｂ          判断部
３１１ｃ          表示制御部
３１１ｇ          データ読み込み部
３１１ｈ          データ書き込み部
３１２            記憶部
３１３            画像メモリ
３２０〜３２２    ＵＳＢメモリ（外部記憶装置）
３０２            ファクシミリ部（ジョブ実行手段）
３０３            通信制御部（ジョブ実行手段）
３０６            画像形成手段（ジョブ実行手段）
【図１】
2006140644.tif 000003
【図２】
2006140644.tif 000004
【図３】
2006140644.tif 000005
【図４】
2006140644.tif 000006
【図５】
2006140644.tif 000007
【図６】
2006140644.tif 000008
【図７】
2006140644.tif 000009
【図８】
2006140644.tif 000010
【図９】
2006140644.tif 000011